【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
遊技領域に設けられる演出装置と、
遊技の進行を制御するとともに該遊技の進行に関する各種情報が記憶されるＲＡＭを備える主制御基板と、
前記演出装置による演出の進行を制御する周辺制御基板と、
を備えるパチンコ機であって、
前記演出装置は、少なくとも、
演出に用いる電飾ランプと、
電気的駆動源の駆動により可動する可動体と、
該可動体の原位置を検出する位置検出センサと、
を備え、
前記主制御基板は、少なくとも、
前記周辺制御基板にコマンドを送信するコマンド送信制御手段と、
前記パチンコ機に電力が供給開始された際に前記ＲＡＭに記憶されている前記遊技の進行に関する各種情報をすべて消去することができる初期化制御手段と、
を備え、
当該主制御基板は、電源投入時又は瞬停が発生して電力が回復した際に、前記初期化制御手段により前記ＲＡＭに記憶されている前記遊技の進行に関する各種情報をすべて消去したときには前記コマンド送信制御手段によりＲＡＭクリア報知コマンドを前記周辺制御基板に送信し、
前記周辺制御基板は、少なくとも、
前記主制御基板からのコマンドを受信するコマンド受信制御手段と、
前記電飾ランプを駆動するランプ用駆動制御手段と、
前記電気的駆動源を駆動する駆動源用駆動制御手段と、
前記位置検出センサからの検出信号が入力されているか否かを判定する検出信号入力判定制御手段と、
を備え、
当該周辺制御基板は、前記コマンド受信制御手段により前記ＲＡＭクリア報知コマンドを受信すると、前記駆動源用駆動制御手段により前記電気的駆動源を予め定めた期間だけ駆動して前記可動体を可動するとともに、該予め定めた期間が経過するまでに、前記検出信号入力判定制御手段により前記位置検出センサからの検出信号が入力されたと判定したときには前記ランプ用駆動制御手段により前記電飾ランプを駆動して当該位置検出センサに不具合が生じていない旨を伝える正常発光態様で当該電飾ランプを発光する一方、前記検出信号入力判定制御手段により前記位置検出センサからの検出信号が入力されなかったと判定したときには前記ランプ用駆動制御手段により前記電飾ランプを駆動して当該位置検出センサに不具合が生じている旨を伝える異常発光態様で当該電飾ランプを発光することを特徴とするパチンコ機。
【手続補正２】
【補正対象書類名】明細書
【補正対象項目名】０００８
【補正方法】変更
【補正の内容】
【０００８】
（解決手段１）
遊技領域に設けられる演出装置と、遊技の進行を制御するとともに該遊技の進行に関する各種情報が記憶されるＲＡＭを備える主制御基板と、前記演出装置による演出の進行を制御する周辺制御基板と、を備えるパチンコ機であって、前記演出装置は、少なくとも、演出に用いる電飾ランプと、電気的駆動源の駆動により可動する可動体と、該可動体の原位置を検出する位置検出センサと、を備え、前記主制御基板は、少なくとも、前記周辺制御基板にコマンドを送信するコマンド送信制御手段と、前記パチンコ機に電力が供給開始された際に前記ＲＡＭに記憶されている前記遊技の進行に関する各種情報をすべて消去することができる初期化制御手段と、を備え、当該主制御基板は、電源投入時又は瞬停が発生して電力が回復した際に、前記初期化制御手段により前記ＲＡＭに記憶されている前記遊技の進行に関する各種情報をすべて消去したときには前記コマンド送信制御手段によりＲＡＭクリア報知コマンドを前記周辺制御基板に送信し、前記周辺制御基板は、少なくとも、前記主制御基板からのコマンドを受信するコマンド受信制御手段と、前記電飾ランプを駆動するランプ用駆動制御手段と、前記電気的駆動源を駆動する駆動源用駆動制御手段と、前記位置検出センサからの検出信号が入力されているか否かを判定する検出信号入力判定制御手段と、を備え、当該周辺制御基板は、前記コマンド受信制御手段により前記ＲＡＭクリア報知コマンドを受信すると、前記駆動源用駆動制御手段により前記電気的駆動源を予め定めた期間だけ駆動して前記可動体を可動するとともに、該予め定めた期間が経過するまでに、前記検出信号入力判定制御手段により前記位置検出センサからの検出信号が入力されたと判定したときには前記ランプ用駆動制御手段により前記電飾ランプを駆動して当該位置検出センサに不具合が生じていない旨を伝える正常発光態様で当該電飾ランプを発光する一方、前記検出信号入力判定制御手段により前記位置検出センサからの検出信号が入力されなかったと判定したときには前記ランプ用駆動制御手段により前記電飾ランプを駆動して当該位置検出センサに不具合が生じている旨を伝える異常発光態様で当該電飾ランプを発光することを特徴とするパチンコ機。
【手続補正３】
【補正対象書類名】明細書
【補正対象項目名】００１０
【補正方法】変更
【補正の内容】
【００１０】
演出装置は、少なくとも、電飾ランプ、可動体、位置検出センサを備えている。電飾ランプは、演出に用いるものである。可動体は、電気的駆動源の駆動により可動することができるようになっている。位置検出センサは、可動体の原位置を検出するものである。
【手続補正４】
【補正対象書類名】明細書
【補正対象項目名】００１２
【補正方法】変更
【補正の内容】
【００１２】
周辺制御基板は、少なくとも、コマンド受信制御手段、ランプ用駆動制御手段、駆動源用駆動制御手段、検出信号入力判定制御手段を備えている。コマンド受信制御手段は、主制御基板からのコマンドを受信するものであり、ランプ用駆動制御手段は、電飾ランプを駆動するものであり、駆動源用駆動制御手段は、電気的駆動源を駆動するものであり、検出信号入力判定制御手段は、位置検出センサからの検出信号が入力されているか否かを判定するものである。周辺制御基板は、コマンド受信制御手段によりＲＡＭクリア報知コマンドを受信すると、駆動源用駆動制御手段により電気的駆動源を予め定めた期間だけ駆動して可動体を可動するとともに、この予め定めた期間が経過するまでに、検出信号入力判定制御手段により位置検出センサからの検出信号が入力されたと判定したときにはランプ用駆動制御手段により電飾ランプを駆動して位置検出センサに不具合が生じていない旨を伝える正常発光態様で電飾ランプを発光する一方、検出信号入力判定制御手段により位置検出センサからの検出信号が入力されなかったと判定したときにはランプ用駆動制御手段により電飾ランプを駆動して位置検出センサに不具合が生じている旨を伝える異常発光態様で電飾ランプを発光する。
【手続補正５】
【補正対象書類名】明細書
【補正対象項目名】００１４
【補正方法】変更
【補正の内容】
【００１４】
本実施形態では、例えば、図４の演出装置４０が演出装置に相当し、図１６のＲＡＭ１０１ｃがＲＡＭに相当し、図１６の主制御基板１０１が主制御基板に相当し、図１６のサブ統合基板１１１が周辺制御基板に相当し、図１のパチンコ機１がパチンコ機に相当し、図４の演出ランプ４４ａ〜４４ｄが電飾ランプに相当し、図９（ｂ）のステッピングモータ１５０ｈ、図１１（ｂ）のステッピングモータ１５２ｈ，１５３ｆ及び図１３のステッピングモータ１５５が電気的駆動源に相当し、図８のキャラクタ体（フランケン）１５０、キャラクタ体（ドラキュラ）１５２及びキャラクタ体（オオカミ男）１５４が可動体に相当し、図８のフォトセンサ１５０ｎ，１５２ｎ，１５３ｎ，１５４ｎが位置検出センサに相当し、図２５のタイマ割り込み処理におけるステップＳ９２のサブ統合基板コマンド送信処理がコマンド送信制御手段に相当し、図２３の電源投入時処理におけるステップＳ４２の処理及びステップＳ４４の処理が初期化制御手段に相当し、図２８のコマンド受信割り込み処理及び図２９のコマンド受信終了割り込み処理がコマンド受信制御手段に相当し、図４５の可動具合報知処理において演出ランプ４４ａ，４４ｂ，４４ｄの点灯又は消灯させるコマンドを作成してランプ駆動基板１１２に出力する処理がランプ用駆動制御手段に相当し、図４０の原位置時原位置復帰処理（フランケン）におけるステップＳ２６４の処理、図４１の原位置外時原位置復帰処理（フランケン）におけるステップＳ２８０の処理、図４２の原位置復帰処理（ドラキュラ）におけるステップＳ３００の処理、図４３の原位置復帰処理（遮蔽部材（ドラキュラ））におけるステップＳ３２０の処理及び図４４の原位置復帰処理（オオカミ男）におけるステップＳ３４０の処理が駆動源用駆動制御手段に相当し、図４０の原位置時原位置復帰処理（フランケン）におけるステップＳ２６６の判定、図４１の原位置外時原位置復帰処理（フランケン）におけるステップＳ２８２の判定、図４２の原位置復帰処理（ドラキュラ）におけるステップＳ３０２の判定、図４３の原位置復帰処理（遮蔽部材（ドラキュラ））におけるステップＳ３２２の判定及び図４４の原位置復帰処理（オオカミ男）におけるステップＳ３４２の判定が検出信号入力判定制御手段に相当し、図４の演出ランプ４４ｄが点灯する発光態様が図８のフォトセンサ１５４ｎに不具合が生じていない旨を伝える正常発光態様に相当し、図４の演出ランプ４４ａが点灯する発光態様が図８のフォトセンサ１５２ｎ，１５３ｎのいずれも不具合が生じていない旨を伝える正常発光態様に相当し、図４の演出ランプ４４ｂが点灯する発光態様が図８のフォトセンサ１５０ｎに不具合が生じていない旨を伝える正常発光態様に相当し、図４の演出ランプ４４ｄが消灯する発光態様が図８のフォトセンサ１５４ｎに不具合が生じている旨を伝える異常発光態様に相当し、図４の演出ランプ４４ａが消灯する発光態様が図８のフォトセンサ１５２ｎ，１５３ｎのいずれか又は両方に不具合が生じている旨を伝える異常発光態様に相当し、図４の演出ランプ４４ｂが消灯する発光態様が図８のフォトセンサ１５０ｎに不具合が生じている旨を伝える異常発光態様に相当する。